(57)【特許請求の範囲】
【請求項１】
本発明のショルダネックストラップを使用者の首に掛け首から腹部前面に携帯用物品を吊り下げた状態で、首に掛けたストラップの首を挟んで左右いずれか一方側の首根位置と接触する位置より首の左右いずれか他方側に位置するストラップに、ストラップの長手方向にストラップが１本から２本に二股に成る二股部を設け、前記二股部から少なくとも２本のストラップを首を挟んで左右いずれか一方側の肩に接して携帯用物品まで吊り下げ、前記２本のストラップの間に一方側の腕を通して肩まで挿入して、腹部前面に吊り下げられた携帯用物品を腹部前面から一方側の脇腹方向に引き寄せて吊り下げられることを特徴としているショルダネックストラップ。
【請求項２】
前記２本のストラップの下端部を一本の長いストラップを重ね合わせる形状に折り返した状態に連結して閉じて、前記２本のストラップを環状に形成して環状形一方側ストラップとして吊り下げていることを特徴としている請求項１に記載のショルダネックストラップ。
【請求項３】
前記２本のストラップの間に一方側の腕を通して肩まで挿入している状態で、一方側の肩の線上に前記２本のストラップを重ね合わせ若しくは寄り添わせ連結して肩にあてる肩当て連結部を形成していることを特徴としている請求項１から請求項２のいずれか１項に記載のショルダネックストラップ。
【請求項４】
本発明のショルダネックストラップの使用者の地位・階級や使用目的を識別する「文字、図形、形状」の一種類若しくは二種類以上を組み合わせて成るデザインを施した識別用の装身具が、前記２本のストラップに留めて飾られていることを特徴としている請求項１から請求項３に記載のいずれか１項に記載のショルダネックストラップ。
【請求項５】
前記他方側に位置するストラップに有する連結箇所に、前記他方側に位置するストラップに一定の引っ張り荷重を超える引っ張り荷重がかかることで前記連結箇所が分断される安全装置を備えていることを特徴としている請求項１から請求項４のいずれか１項に記載のショルダネックストラップ。
【発明の詳細な説明】
【技術分野】
【０００１】
本発明は、携帯用物品を首から吊り下げて携帯するためのネックストラップに関する。
【背景技術】
【０００２】
従来、携帯用物品を首から吊り下げるためのネックストラップは、繊維や革若しくは鎖等の柔軟性の帯状若しくは紐状のストラップを部材とし、ストラップを使用者の首に掛け環状状態となり、少なくともストラップの下端部に携帯用物品を取り付けるための吊り下げ具を備えたものが一般的なものであった。
【０００３】
また、ネックストラップを首に掛け首から携帯用物品を吊り下げた状態で、ネックストラップに一定以上の引っ張り荷重がかかることでストラップの連結箇所が切り離され、首が締めつけられることを防止し、人体の安全を確保することができるように構成された、連結具と非連結具とから成る安全装置を備えた、例えば、 実用新案登録第３０８６７２０号公報「ネックストラップの安全装置」等が公開されている。
【０００４】
また、首から吊り下げた携帯用物品を身体から離れないようにして、他人や物に引っかかり怪我したり、人の邪魔になったりすることのないように、携帯用物品を吊り下げた状態でストラップに形成したボタンホールを衣服のボタンに掛けることにより、携帯用物品が身体から離れることが無くなるように構成された、例えば、実用新案登録第３１０４４４２号公報「ネックストラップ」等も公開されている。
【先行技術文献】
【特許文献】
【０００５】
【特許文献１】実用新案登録第３０８６７２０号公報
【特許文献２】実用新案登録第３１０４４４２号公報
【発明の概要】
【発明が解決しようとする課題】
【０００６】
しかし、上記のようなネックストラップの構成では、携帯用物品が使用・不使用時に関わらず常に使用者の首から腹部前面に吊り下げられているため、携帯用物品が身体から離れブラブラ振れ、携帯用物品やストラップが他人や物に引っかかり、怪我させたり迷惑をかけないか、引ったくりにあって携帯用物品を盗まれないか等の不安感や、携帯用物品を腹部前面にブラブラ吊り下げて外見的に目立ちファッション的に不体裁となる不体裁感、若しくは手洗いなどで前屈みに成って携帯用物品がお邪魔に成る等のお邪魔感等があった。
【０００７】
本発明は、ネックストラップを使用者の首に掛け首から腹部前面に携帯用物品を吊り下げた状態で発生している、前記不安感や前記不体裁感若しくは前記お邪魔感等を、軽減できる構成のネックストラップを提供することを目的とする。
【課題を解決するための手段】
【０００８】
請求項１の発明は、本発明のショルダネックストラップを使用者の首に掛け首から腹部前面に携帯用物品を吊り下げた状態で、首に掛けたストラップの首を挟んで左右いずれか一方側の肩と首の付け根位置（以下、首根位置と称す。）付近と接触する位置より首の左右いずれか他方側に位置するストラップに、ストラップの長手方向にストラップが１本から２本に二股に成る二股部を設け、前記二股部からストラップの長手方向のいずれか一方側に少なくとも２本のストラップを首を挟んで左右いずれか一方側の肩に接し携帯用物品まで吊り下げ、前記二股部からストラップの長手方向のいずれか他方側に少なくとも１本のストラップを携帯用物品まで吊り下げ他方側に位置するストラップと称して吊り下げられ、前記２本のストラップの間に一方側の腕を通して肩まで挿入して、腹部前面に吊り下げられた携帯用物品を腹部前面から一方側の脇腹方向に引き寄せて吊り下げられることを特徴としている。
【０００９】
請求項１の発明は、上記のような構成であるから、 前記２本のストラップと前記他方側に位置するストラップの下端部に、携帯用物品を直接取り付けて吊り下げたり、ストラップの下端部に携帯用物品とストラップを繋ぐ吊り下げ具を備えて前記吊り下げ具を介して携帯用物品を取り付けて吊り下げたりして、本発明のショルダネックストラップの略中央を使用者の首に掛け首から腹部前面に携帯用物品を吊り下げた従来の構成でも使用でき、さらに、首を挟んで左右いずれか一方側の肩に接し携帯用物品まで吊り下げた前記２本のストラップの間に、一方側の腕を通して肩まで挿入して、前記二股部から一方側の肩とお腹側を経て携帯用物品を吊り下げるストラップを一方側ストラップと称し、前記二股部から一方側の背中側と脇腹を経て携帯用物品を吊り下げるストラップを追加したストラップとして追加一方側ストラップと称した前記２本のストラップと前記他方側に位置するストラップとで腹部前面に吊り下げた携帯用物品を、腹部前面から一方側の脇腹方向に引き寄せて吊り下げた構成でも使用できる。
【００１０】
したがって、請求項１の発明のショルダネックストラップの略中央を使用者の首に掛け首から腹部前面に携帯用物品を吊り下げた状態から、瞬時に、前記２本のストラップの間に一方側の腕を通して肩まで挿入して、腹部前面に吊り下げられた携帯用物品を腹部前面から一方側の脇腹方向に引き寄せて吊り下げ、携帯用物品を首と肩を支点にして吊り下げられた構成で使用でき、従来の首だけに掛かっていた携帯用物品等の荷重を首と肩に分散して軽減して使用できる効果が期待できる。さらに、前記二股部から一方側の背中側と脇腹を経て携帯用物品を吊り下げるストラップで、携帯用物品が身体から異常に離れないように脇腹側から引き留められた形となり、携帯用物品が身体から異常に離れブラブラ振れて何かに挟まったり、人を怪我させたりとする不安感や、携帯用物品を腹部前面にブラブラ吊り下げての不体裁感、若しくは、手洗いや作業などで前屈みに成って携帯用物品が首の真下に吊り下げられて邪魔に成るお邪魔感等を軽減して使用できる効果が期待できる。
【００１１】
また、携帯用物品を腹部前面から一方側の脇腹方向に引き寄せて携帯できるから、一方側の脇腹と一方側の腕の下に携帯用物品を挟んで携帯用物品を隠した状態でも携帯でき、携帯用物品を腹部前面に吊り下げて引ったくられたりするとした不安感も軽減させて携帯する効果が期待できる。
【００１２】
前記携帯用物品は、首から吊り下げて携帯する、例えば「携帯電話、携帯用電子機器、名札、社員証、パスポート」等や、「携帯電話、携帯用電子機器、名札、社員証、パスポート」等を収納する「携帯用収納ケースや携帯用収納ホルダー。」等である。
【００１３】
前記ストラップは、ストラップは繊維や革若しくは鎖等の柔軟性の帯状若しくは紐状の部材であればいずれでも良く、望ましくは、肌に優しい繊維を素材とした帯状若しくは紐状のストラップが望ましい。
【００１４】
前記吊り下げ具は、携帯用物品とストラップを繋ぐためのもので、例えば「ストラップを通す孔の貫通孔を有す鐶。ストラップの連結・分断を可能とする一対の連結部材を有する連結部型連結具。携帯用物品を把持するクリップ。留め具。環状の細い紐。」等、いずれか１つ若しくは２つ以上を組み合わせて、携帯用物品とストラップを交換可能に繋ぐ構成の吊り下げ具ならいずれでも良く、その他種々の前記吊り下げ具を使用できる。
【００１５】
前記貫通孔を有す鐶は、ネックストラップ用の例えば「リング、ナスカン、丸カン、Ｄカン、Ｓカン。」等、その他種々のネックストラップを通す孔を有す鐶を使用できる。
【００１６】
前記ストラップの連結・分断を可能とする一対の連結部材を有する連結部型連結具は、例えば「一対の雄雌差込式連結部材を有する雄雌差込式連結具。磁極が引き合う一対の永久磁石連結部材を有する磁石式連結具。一対の雄雌面ファスナー連結部材を有する面ファスナ式連結具。一対の雄雌ホック連結部材を有するホック式連結具。」等いずれでも良く、その他種々のストラップの連結・分断を可能とする一対の連結部材を有する連結部型連結具を使用できる。
【００１７】
前記ストラップを通す孔とは、ストラップを通せる内径の孔で有れば良く、複数本のストラップを通す場合は複数本のストラップを通せる内径の孔であれば良い。
【００１８】
前記貫通孔は、前記吊り下げ具の前記２重リングや前記連結部型連結具等に有すストラップを通す孔の説明上の呼称である。前記貫通孔を通すストラップに接して通すストラップの長手方向に滑らかに移動可能にしたい場合は通すストラップの外径より拡めの内径の孔にすることが望ましく、前記貫通孔を通すストラップに接して通すストラップの長手方向に手動で渋めに移動可能にしたい場合は通すストラップに対し狭めの孔にすることが望ましい。
【００１９】
前記二股部は、前記二股部からストラップの長手方向のいずれか一方側に少なくとも前記２本のストラップを首を挟んで左右いずれか一方側の肩に接し携帯用物品まで吊り下げられる構成となるなら、使用者の首に掛けたストラップが接触する首を挟んで左右いずれか一方側の首根位置より首の左右いずれか他方側に位置するストラップのいずれかの位置に使用者の体型や使用環境等を考慮して設けられれば良いが、望ましくは、首を挟んで左右いずれか一方側の首根位置付近から他方側の首根位置付近に設けられるのが望ましく、さらに望ましくは、首の真後の首筋位置付近と接触するショルダネックストラップの中央位置に設けるのが望ましい。
【００２０】
前記二股部を形成する方法は、ストラップの長手方向にストラップが１本から２本に二股に成る二股部が形成されるなら、例えば「１本のストラップの途中部分にもう１本のストラップの端部を、縫い付けたり、貼り合わせたり、留め具で固定したりして前記二股部を固定状態に形成する方法。１本のストラップの途中部分にもう１本のストラップの端部をストラップの連結・分断を可能とする一対の連結部材を有する連結部型連結具で連結して前記二股部を形成する方法。１本のストラップから二股に２本のストラップを織りあげて前記二股部を形成する方法。幅広のストラップの途中部分をストラップの長手方向に沿って中心線を切り裂き１本のストラップを２本のストラップにして二股部を形成する方法。重ね合わせ若しくは寄り添わせた２本のストラップを通して２本のストラップの連結・分断を可能とする連結孔を有する連結孔型連結具で連結して前記二股部を形成する方法。ストラップを通す孔を有す鐶を介して前記二股部を形成する方法。」等いずれでも良く、その他種々のストラップの長手方向にストラップが１本から２本に二股に成る二股部が形成される方法が使用できる。なお、前記二股部は首回り付近に形成されることから、薄く嵩張らない形状に形成にすることが望ましい。
【００２１】
重ね合わせ若しくは寄り添わせた２本のストラップを通して２本のストラップの連結・分離を可能とする前記連結孔を有する連結孔型連結具は、例えば「本体に有する前記連結孔の外面からバネ等の弾力性部材と連動するロックボタン等で前記連結孔を狭めたり拡げたりして前記２本のストラップを通して２本のストラップの連結・分離を可能とする前記連結孔を有するロックボタン式連結具。複数の前記連結孔に２本のストラップを出し入れして中軸に絡めて通して２本のストラップの連結・分離を可能とする複数の前記連結孔を有すバックル型連結具。」等いずれでも良く、その他種々の重ね合わせ若しくは寄り添わせた２本のストラップを通して２本のストラップの連結・分離を可能とする前記連結孔を有する連結孔型連結具を使用できる。
【００２２】
前記連結孔は、ストラップの連結・分離を可能とする連結孔型連結具等に有すストラップを通す孔の説明上の呼称である。
【００２３】
請求項２の発明は、請求項１に記載のショルダネックストラップにおいて、前記二股部から首を挟んで左右いずれか一方側の肩に接して携帯用物品まで吊り下げられる前記２本のストラップの下端部を一本の長いストラップを重ね合わせる形状に折り返した状態に連結して閉じて、前記２本のストラップを環状に形成して環状形一方側ストラップと称して吊り下げていることを特徴としている。
【００２４】
請求項２の発明は、上記のような構成であるから、前記２本のストラップの下端部を一本の長いストラップを重ね合わせる形状に折り返した状態に連結して閉じて環状に形成した前記環状形一方側ストラップの下端部のストラップの長手方向に沿って移動可能に、携帯用物品取付孔（携帯用物品に有すストラップを通す孔。）を有する携帯用物品を直接吊り下げたり、前記貫通孔を有する前記吊り下げ具を備えて前記吊り下げ具を介して携帯用物品を吊り下げたりして使用できる。
【００２５】
そして、本発明のショルダネックストラップの略中央を使用者の首に掛け首から腹部前面に携帯用物品を吊り下げた状態から、瞬時に、前記環状形一方側ストラップを形成する前記２本のストラップの間に一方側の腕を通して肩まで挿入した状態で、前記二股部から一方側の肩とお腹側を経て携帯用物品若しくは前記吊り下げ具までの前記一方側ストラップの長さと、前記二股部から一方側の背中側と脇腹を経て携帯用物品若しくは前記吊り下げ具までの前記追加一方側ストラップの長さに違いが出ても、携帯用物品若しくは前記吊り下げ具が前記環状形一方側ストラップの下端部の一本の長いストラップを重ね合わせる形状に折り返した状態に環状に形成された滑らかなストラップに接してストラップの接続部に引っかかることもなく、ストラップの長手方向に沿って移動可能であるから、前記二股部から携帯用物品若しくは前記吊り下げ具までの間の前記一方側ストラップの長さと前記追加一方側ストラップの長さのバランス良く引き合う位置に携帯用物品若しくは前記吊り下げ具を移動させることができ、前記一方側ストラップと前記追加一方側ストラップいずれのストラップにも緩みのない状態で携帯用物品若しくは前記吊り下げ具を吊り下げ、携帯用物品若しくは前記吊り下げ具を介して吊り下げた携帯用物品を腹部前面から一方側の脇腹方向の使用者が体裁良く、使用しやすいと感じる任意位置に吊り下げた構成で使用できる。
【００２６】
したがって、請求項２の発明のショルダネックストラップは、本発明の請求項１に記載の効果に加え、前記２本のストラップの下端部を一本の長いストラップを重ね合わせる形状に折り返した状態に連結して閉じて前記環状形一方側ストラップとしたことで、前記環状形一方側ストラップの下端部の一本の長いストラップを重ね合わせる形状に折り返した状態に環状に形成されたストラップに接してストラップの長手方向に沿って移動可能に前記携帯用物品取付孔を有する携帯用物品若しくは前記貫通孔を有する前記吊り下げ具を介して吊り下げられた携帯用物品を腹部前面から一方側の脇腹方向の使用者が体裁良く、使用しやすいと感じる任意位置に吊り下げた構成で使用できる効果が期待できる。
【００２７】
前記携帯用物品取付孔は、携帯用物品に有す前記ストラップを通す孔の説明上の呼称である。前記携帯用物品取付孔は通すストラップに接して通すストラップの長手方向に滑らかに移動可能にしたい場合は通すストラップの外径より拡めの内径の孔にすることが望ましく、前記携帯用物品取付孔を通すストラップに接して通すストラップの長手方向に手動で渋めに移動可能にしたい場合は通すストラップに対し狭めの孔にすることが望ましい。
【００２８】
携帯用物品は、前記携帯用物品取付孔を通すストラップの外径より拡めの内径の孔にして、前記環状形一方側ストラップの下端部の一本の長いストラップを重ね合わせる形状に折り返した状態に環状に形成された滑らかなストラップに接してストラップの接続部に引っかかることもなく、ストラップの長手方向に沿って移動可能に直接吊り下げて使用しても良いが、携帯用物品は使用者の都合で携帯用物品の交換等もあることから、前記吊り下げ具を介して交換可能に吊り下げて使用することが望ましい。
【００２９】
前記環状形一方側ストラップを形成する方法は、例えば「前記２本のストラップの前記一方側ストラップと前記追加一方側ストラップの下端部を１本のストラップを折り返したように接続部が感じられないように縫い合わせたり接着したりして一本の長いストラップを重ね合わせる形状に折り返した状態に連結して形成する方法。ネックストラップを前記他方側に位置するストラップと前記一方側ストラップと前記追加一方側ストラップとを連結した長さの１本のストラップで形成し、前記一方側ストラップと前記追加一方側ストラップの連結位置で前記追加一方側ストラップを前記一方側ストラップの長手方向に重ね合わせる形状等に折り返し、前記追加一方側ストラップの端部を前記二股部に接続して形成する方法。繊維を環状に一体に織りあげて前記環状形一方側ストラップを形成する方法。前記一方側ストラップの下端部位置でストラップを折り返し端部を延長し、折り返し延長した端部を前記二股部に接続して形成する方法。前記追加一方側ストラップの下端部位置でストラップを折り返し端部を延長し、折り返し延長した端部を前記一方側ストラップの途中部分で切断した端部に一対の連結部材を有する連結部型連結具等を介して連結して形成する方法。ネックストラップを幅広い帯状のストラップで形成し前記二股部からストラップの長手方向のいずれか一方側に吊り下げられるストラップの下端部まで幅広い帯状のストラップの中心線に沿って切り裂きストラップの長手方向に細長い環状部を形成して前記環状形一方側ストラップとする方法。」等、多数考えられるが、製造も容易な、前記２本のストラップの下端部を１本のストラップを折り返した形状の一本の長いストラップを重ね合わせる形状に折り返した状態に連結して閉じた形状にすることが望ましい。
【００３０】
請求項３の発明は、請求項１から請求項２のいずれか１項に記載のショルダネックストラップにおいて、前記二股部から首を挟んで左右いずれか一方側の肩に接して携帯用物品まで吊り下げられる前記２本のストラップの間に一方側の腕を通して肩まで挿入している状態で、一方側の肩の線上の首根位置と肩先位置間に前記２本のストラップを重ね合わせ若しくは寄り添わせ連結して肩にあてる肩当て連結部を形成していることを特徴としている。
【００３１】
請求項３の発明は、上記のような構成であるから、前記肩当て連結部が前記二股部から前記肩当て連結部までの前記２本のストラップと、前記肩当て連結部から一方側の肩を挟んで前後に二股に分かれ、お腹側に吊り下げられる前記一方側ストラップと、背中側に吊り下げられる前記追加一方側ストラップの３方向に支えられて、前記肩当て連結部が一方側の肩の線上の首根位置と肩先位置間に押しつけた状態にして使用できる。
【００３２】
したがって、請求項３の発明のショルダネックストラップは、本発明の請求項１から請求項２のいずれか１項に記載の効果に加え、一方側の肩の線上の首根位置と肩先位置間に前記２本のストラップを重ね合わせ若しくは寄り添わせ連結させている前記肩当て連結部により、一方側の肩の線上の首根位置と肩先位置間に位置する前記肩当て連結部から前記２本のストラップが一方側の肩を挟んで前後に二股に分かれ、お腹側に吊り下げられる前記一方側ストラップと、背中側に吊り下げられる前記追加一方側ストラップで携帯用物品を吊り下げることになり、一方側の肩の線上の首根位置と肩先位置間に携帯用物品や吊り下げ具等の荷重の負担をかけて、首への荷重負担を軽減して吊り下げて使用でき、さらに、一方側の肩の線上の首根位置と肩先位置間に前記肩当て連結部を形成し前記２本のストラップを重ね合わせ若しくは寄り添わせたことで、前記二股部から一方側の脇腹側に位置する携帯用物品等まで斜めに吊り下げられていた前記一方側ストラップと前記追加一方側ストラップを、一方側の肩の線上の首根位置と肩先位置間に有している前記肩当て連結部により、前記一方側ストラップと前記追加一方側ストラップをショルダーストラップ状に一方側の肩の線上の首根位置と肩先位置間から身長方向にスマートに吊り下げられる効果も期待できる。
【００３３】
前記肩当て連結部は、前記２本のストラップを重ね合わせ若しくは寄り添わせて連結させる構成であればよく、前記肩当て連結部は例えば「スカーフやリボン等の長めの装身具で前記２本のストラップを束ねて結ぶ結び目を前記肩当て連結部としたり。前記２本のストラップを束ね連結するストラップ用結束具やゴム輪等で前記肩当て連結部を形成したり。前記２本のストラップを通し連結する前記連結孔を有したメダルやボタン等で前記肩当て連結部を形成したり。前記２本のストラップを通し連結する連結孔を有した肩に飾れる小さい縫いぐるみで前記肩当て連結部を形成したり。前記２本のストラップを通し連結する連結孔を有した肩に飾れる小さいＰＲ用ミニチュアで前記肩当て連結部を形成したり。前記２本のストラップを弾力性部材等で挟んで挟持するクリップで前記肩当て連結部を形成したり。前記２本のストラップを刺し通して連結するストラップ用安全ピンで前記肩当て連結部を形成したり。前記２本のストラップに巻き付けて束ねる面ファスナー式留め具で前記肩当て連結部を形成したり。前記２本のストラップの連結・分離を可能とする前記連結孔を有する連結孔型連結具で前記肩当て連結部を形成したり。」等、その他種々の前記２本のストラップを重ね合わせ若しくは寄り添わせて連結させる構成を使用できる。
【００３４】
請求項４の発明は、請求項１から請求項３に記載のいずれか１項に記載のショルダネックストラップにおいて、本発明のショルダネックストラップの使用者例えば「社長・部長、優勝者・準優勝者、男性・女性、子供・大人」等や、使用目的例えば「会社のＰＲ、団体のＰＲ、商品のＰＲ、地域のＰＲ、各種イベントのＰＲ、各種スポーツのＰＲ、各種祈願」等を識別する「文字、図形、形状」の一種類若しくは二種類以上を組み合わせて成るデザインを施した使用者の肩や首回りを飾る装身具（以下、識別用の装身具と称す。）が、前記２本のストラップの間に一方側の腕を通して肩まで挿入している状態で、一方側の肩の線上の首根位置と肩先位置間に重ね合わせ若しくは寄り添わせた前記２本のストラップに、直接若しくは前記肩当て連結部を介して留めて飾られていることを特徴としている。
【００３５】
請求項４の発明は、上記のような構成であるから、前記２本のストラップの間に一方側の腕を通して肩まで挿入している状態で、前記識別用の装身具を一方側の肩の線上の首根位置と肩先位置間に重ね合わせ若しくは寄り添わせた前記２本のストラップに、直接若しくは前記肩当て連結部を介して留めて飾り、前記識別用の装身具で本発明のショルダネックストラップの使用者や使用目的を識別した使用ができる。
【００３６】
勿論、本発明のショルダネックストラップを使用者の首に掛け首から腹部前面に携帯用物品を吊り下げた状態でも、前記２本のストラップに飾った前記識別用の装身具で本発明のショルダネックストラップの使用者や使用目的を識別した使用ができる。
【００３７】
したがって、請求項４の発明のショルダネックストラップは請求項１から請求項３に記載の効果に加え、前記識別用の装身具で本発明のショルダネックストラップの使用者や使用目的を識別した使用もできる効果が期待できる。
【００３８】
前記識別用の装身具は、使用者の肩や首回りを飾る装身具で、使用者の肩に載せて若しくは肩から吊り下げて飾れる大きさで、繊維等を素材とした柔軟性の有る部材や滑らかな形状の部材で形成され、使用者例えば「社長・部長、優勝者・準優勝者、男性・女性、子供・大人」等を識別する、若しくは使用目的例えば「会社のＰＲ、団体のＰＲ、商品のＰＲ、地域のＰＲ、各種イベントのＰＲ、各種スポーツのＰＲ、各種祈願」等を識別する「文字、図形、形状」等の一種類若しくは二種類以上を組み合わせて成るデザインを施した、本発明のショルダネックストラップの使用者や使用目的を識別する識別用の装身具例えば「表面に使用者の地位・階級等を表す社長・部長等の文字を刺繍した肩章。オリンピックの主催国やマークを文字や図形で表しプリントしたスカーフやリボン。肩に飾れる大きさの地域のＰＲ用のゆるキャラ等の縫いぐるみ。肩に飾れる大きさの「会社、商品、童話、漫画、アニメ」等のＰＲ用キャラクター。肩に飾れる大きさにしたスポーツ用具や乗り物等のＰＲ用ミニチュア。商品ＰＲ用のバッチ。肩に飾れる大きさの会社のＰＲ等の小物入。交通安全や商売繁盛等の安全祈願のお守り。」等、本発明のショルダネックストラップの使用者や使用目的を識別できるデザインを施した識別用の装身具であればいずれでも良く、使用者の識別や使用目的の識別を必要とする使用環境に合わせて前記識別用の装身具を選定して飾ることが望ましい
【００３９】
請求項５の発明は、請求項１から請求項４のいずれか１項に記載のショルダネックストラップにおいて、前記他方側に位置するストラップに有する連結箇所例えば「前記他方側に位置するストラップと前記二股部の連結箇所。前記他方側に位置するストラップの途中部分を切断して切断したストラップの端部と端部を連結する連結箇所。前記他方側に位置するストラップと携帯用物品や吊り下げ具との連結箇所。」等のいずれかの箇所に、前記他方側に位置するストラップに一定の引っ張り荷重を超える引っ張り荷重がかかることで前記連結箇所が分断される安全装置を備えていることを特徴としている。
【００４０】
請求項５の発明は、上記のような構成であるから、携帯用物品やストラップが何かに引っかかったりして、前記他方側に位置するストラップに一定の引っ張り荷重を超える引っ張り荷重がかかると、先ず前記他方側に位置するストラップに有する連結箇所に備えた安全装置で形成される連結箇所が分断され、前記他方側に位置するストラップにかかる異常荷重をやわらげ、使用者の首など身体を傷つけないか等の不安感を軽減し、さらに、前記他方側に位置するストラップの連結箇所に備えた安全装置で形成される連結箇所が分断されても、首を挟んで左右いずれか一方側に吊り下げられる前記２本のストラップは直ちに分断されず、前記２本のストラップだけで肩から携帯用物品を吊り下げ、前記２本のストラップを肩から容易に外せるショルダーストラップ状の構成でも使用できる。
【００４１】
したがって、本発明の請求項１から請求項４のいずれか１項に記載の効果に加え、携帯用物品やストラップが何かに引っかかったりして、前記他方側に位置するストラップに一定の引っ張り荷重を超える引っ張り荷重がかかると、先ず前記他方側に位置するストラップに有する連結箇所に備えた安全装置で形成される連結箇所が分断され、前記他方側に位置するストラップにかかる異常荷重をやわらげ、使用者の首など身体を傷つけないか等の不安感を軽減する効果や、前記他方側に位置するストラップの連結箇所に備えた安全装置で形成される連結箇所が分断されても、前記２本のストラップは直ちに分断されず、携帯用物品は前記２本のストラップだけで肩からショルダーストラップ状の構成で吊り下げられ、携帯用物品をいきなり一気に引き落とされて壊したり紛失したり等した不安感も軽減できるとした、安全装置の効果を２段階に機能させて使用できる効果が期待できる。
【００４２】
前記安全装置は、前記他方側に位置するストラップに一定の引っ張り荷重を超える引っ張り荷重がかかることで、前記他方側に位置するストラップに有する前記連結箇所に備える安全装置で形成される連結箇所が分断される前記安全装置であればよく、例えば、前記他方側に位置するストラップに有する連結箇所を前記他方側に位置するストラップの部材よりも脆弱なストラップ部材で連結して前記連結箇所に前記安全装置を備えたとした簡易な前記安全装置でもよいが、望ましくは、前記他方側に位置するストラップに有する前記連結箇所を、連結・分断を可能とする一対の連結部材を有する連結部型連結具、例えば「一対の雄雌差込式連結部材を有する雄雌差込式連結具。磁極が引き合う一対の永久磁石連結部材を有する磁石式連結具。一対の雄雌面ファスナー連結部材を有する面ファスナ式連結具。一対の雄雌ホック連結部材を有するホック式連結具。」等を前記安全装置として備え、前記他方側に位置するストラップに一定の引っ張り荷重を超える引っ張り荷重がかかると前記連結部型連結具で連結される前記連結箇所を分断し、通常時は前記連結部型連結具で連結して使用することを可能とすることが望ましい。
【００４３】
前記他方側に位置するストラップに一定の引っ張り荷重を超える引っ張り荷重がかかると安全装置で形成される前記連結箇所を分断する一定の引っ張り荷重は、吊り下げる携帯用物品や吊り下げ具等の荷重以上でストラップの切断荷重以下の荷重の範囲に設定されればよく、例えば「携帯用物品や吊り下げ具等の荷重が２００ｇ前後で、安全装置が１．０Ｋｇから４．０Ｋｇの範囲の一定の引っ張り荷重で分断される。」等と、吊り下げる携帯用物品や吊り下げ具等の荷重や使用環境に合わせて設定される。
【発明の効果】
【００４４】
請求項１に記載の発明によれば、請求項１の発明のショルダネックストラップの略中央を使用者の首に掛け首から腹部前面に携帯用物品を吊り下げた状態から、瞬時に、前記２本のストラップの間に一方側の腕を通して肩まで挿入して、腹部前面に吊り下げられた携帯用物品を腹部前面から一方側の脇腹方向に引き寄せて吊り下げ、携帯用物品を首と肩を支点にして吊り下げられた構成で使用でき、従来の首だけに掛かっていた携帯用物品等の荷重を首と肩に分散して軽減して使用できる効果が期待できる。さらに、前記二股部から一方側の背中側と脇腹を経て携帯用物品を吊り下げるストラップで、携帯用物品が身体から異常に離れないように脇腹側から引き留められた形となり、携帯用物品が身体から異常に離れブラブラ振れて何かに挟まったり、人を怪我させたりとする不安感や、携帯用物品を腹部前面にブラブラ吊り下げての不体裁感、若しくは、手洗いや作業などで前屈みに成って携帯用物品が首の真下に吊り下げられて邪魔に成るお邪魔感等を軽減して使用できる効果が期待できる。
【００４５】
請求項２に記載の発明によれば、請求項１に記載の発明の効果に加えて、前記環状形一方側ストラップの下端部の一本の長いストラップを重ね合わせる形状に折り返した状態に環状に形成されたストラップに接してストラップの長手方向に沿って移動可能に前記携帯用物品取付孔を有する携帯用物品若しくは前記貫通孔を有する前記吊り下げ具を介して吊り下げられた携帯用物品を腹部前面から一方側の脇腹方向の使用者が体裁良く、使用しやすいと感じる任意位置に吊り下げた構成で使用できる効果が期待できる。
【００４６】
請求項３に記載の発明によれば、請求項１から請求項２のいずれか１項に記載の発明の効果に加えて、一方側の肩の線上の首根位置と肩先位置間に前記２本のストラップを重ね合わせ若しくは寄り添わせ連結させている前記肩当て連結部により、一方側の肩の線上の首根位置と肩先位置間に携帯用物品や吊り下げ具等の荷重の負担をかけて、首への荷重負担を軽減して吊り下げて使用できる効果が期待できる。
【００４７】
請求項４に記載の発明によれば、請求項１から請求項３に記載の発明の効果に加えて、前記識別用の装身具で本発明のショルダネックストラップの使用者や使用目的を識別した使用もできる効果が期待できる。
【００４８】
請求項５に記載の発明によれば、請求項１から請求項４のいずれか１項に記載の発明の効果に加えて、携帯用物品やストラップが何かに引っかかったりして、前記他方側に位置するストラップに一定の引っ張り荷重を超える引っ張り荷重がかかると、先ず前記他方側に位置するストラップに有する連結箇所に備えた安全装置で形成される連結箇所が分断され、前記他方側に位置するストラップにかかる異常荷重をやわらげ、使用者の首など身体を傷つけないか等の不安感を軽減する効果や、前記他方側に位置するストラップの連結箇所に備えた安全装置で形成される連結箇所が分断されても、前記２本のストラップは直ちに分断されず、携帯用物品は前記２本のストラップだけで肩からショルダーストラップ状の構成で吊り下げられ、携帯用物品をいきなり一気に引き落とされて壊したり紛失したり等した不安感も軽減できるとした、安全装置の効果を２段階に機能させて使用できる効果が期待できる。
【図面の簡単な説明】
【００４９】
【図１】は、図１の実施形態に係るショルダネックストラップ１の中央位置に二股部１６を形成し、二股部１６から２本のストラップ１０を首を挟んで左右いずれか一方側の肩に接して携帯用収納ケース２１まで吊り下げ、ストラップの下端部を携帯用収納ケース２１の取付端部２４に直接縫い付けて携帯用収納ケース２１を吊り下げ、２本のストラップ１０の間に一方側の腕を通して肩まで挿入して、名札２２を収納した携帯用収納ケース２１を腹部前面から一方側の脇腹方向（矢印方向）に引き寄せて吊り下げた使用状態説明図である。
【図２】は、図１の実施形態において、携帯用収納ケース２１の左右上端部の取付端部２４に設けたストラップを通す孔の上端部携帯用物品取付孔９１ａにストラップ１０の下端部を通しストラップの端部をとめ結びして結び止め部３７を形成し、２本のストラップ１０と他方側に位置するストラップ１２の下端部に名札２２を収納した携帯用収納ケース２１を直接吊り下げている使用状態説明図である。
【図３】は、図１の実施形態において、二股部１６を首の左右いずれか他方側の首根位置付近に留め具３４で形成し、二股部１６から形成された２本のストラップ１０と他方側に位置するストラップ１２の３本のストラップの下端部にそれぞれ吊り下げ具３としてナスカン３２を備え、名札２２を収納した携帯用収納ケース２１を交換可能に吊り下げている使用状態説明図である。
【図４】は、図１の実施形態において、二股部１６を金属製のＤカン３６で形成し、一方側ストラップ１１の下端部に備えたナスカン３２を携帯用収納ケース２１の左右上端部のいずれか他方側の上端部携帯用物品取付孔９１ａに他方側に位置するストラップ１２の下端部に備えたナスカン３２と共に引っ掛けたりして携帯用収納ケース２１を交換可能に吊り下げている使用状態説明図である。
【図５】は、図１の実施形態において、二股部１６をロックボタン式連結具５２で形成し、２本のストラップ１０と他方側に位置するストラップ１２にそれぞれ吊り下げ具３としてナスカン３２を備え、携帯用収納ケース２１の上部中央に有する１つの中央部携帯用物品取付孔９１ｂに引っ掛けて、携帯用収納ケース２１を交換可能に吊り下げている使用状態説明図である。
【図６】は、図５の実施形態において、二股部１６をバックル型連結具５３で形成して、２本のストラップ１０と他方側に位置するストラップ１２の下端部に２重リング３１を備え、２重リング３１を介して左右上端部に上端部携帯用物品取付孔９１ａを有する携帯用収納ケース２１を交換可能に吊り下げている使用状態説明図である。
【図７】は、図６の実施形態において、一方側ストラップ１１と追加一方側ストラップ１３と他方側に位置するストラップ１２の下端部に、上部に貫通孔９２を有し下部に環状の細い紐３５を有す雄雌差込式連結具４２を吊り下げ具３として備え、上部中央に中央部携帯用物品取付孔９１ｂを設けた名札２２を収納した携帯用収納ケース２１を交換可能に吊り下げている使用状態説明図である。
【図８】は、図１の実施形態において、２本のストラップ１０の下端部を一本の長いストラップを重ね合わせる形状に折り返した状態に連結して閉じて環状形一方側ストラップ１５を形成し、携帯用収納ケース２１の左右上端部に有する左右いずれか一方側の上端部携帯用物品取付孔９１ａを環状形一方側ストラップ１５の下端部の環状と成るストラップの長手方向に接して移動可能に吊り下げ、環状形一方側ストラップ１５を形成する２本のストラップ１０の間に一方側の腕を通して肩まで挿入して、名札２２を収納した携帯用収納ケース２１を腹部前面から一方側の脇腹間の脇腹方向（矢印方向）の任意の位置に引き寄せて吊り下げた状態の使用図である。
【図９】は、図８の実施形態において、環状形一方側ストラップ１５の下端部に金属製の２重リング３１をストラップの長手方向に接して移動可能に備え、他方側に位置するストラップ１２の下端部にもバックル型連結具５３で他方側に位置するストラップ１２の長短を調整できるように金属製の２重リング３１を備え、環状形一方側ストラップ１５の下端部と他方側に位置するストラップ１２の下端部に備えた金属性の２重リング３１を介して名札２２を収納した携帯用収納ケース２１を交換可能に吊り下げて使用している使用状態説明図である。
【図１０】は、図９の実施形態において、環状形一方側ストラップ１５の下端部と他方側に位置するストラップ１２の下端部に金属製の２重リング３１と環状の細い紐３５と雄雌差込式連結具４２を組み合わせて成る吊り下げ具３を備え、吊り下げ具３を介して上部中央に中央部携帯用物品取付孔９１ｂを設けた名札２２を収納した携帯用収納ケース２１を交換可能に吊り下げている使用状態説明図である。
【図１１】は、図８の実施形態において、環状形一方側ストラップ１５を形成する２本のストラップ１０の間に一方側の腕を通して肩まで挿入している状態で、一方側の肩の線上に２本のストラップ１０を重ね合わせ若しくは寄り添わせてロックボタン式連結具５２で連結する肩当て連結部６を形成している使用状態説明図である。
【図１２】は、図９の実施形態において，環状形一方側ストラップ１５を形成する２本のストラップ１０の間に一方側の腕を通して肩まで挿入している状態で、一方側の肩の線上に２本のストラップ１０を重ね合わせ若しくは寄り添わせてロックボタン式連結具５２で連結する肩当て連結部６を形成している使用状態説明図である。
【図１３】は、図１１の実施形態において、一方側の肩の線上の首根位置と肩先位置間に２本のストラップ１０を重ね合わせ若しくは寄り添わせて、２本のストラップ１０を長めのリボン７４で巻き付けて結んで成る結び目６２で肩当て連結部６を形成している、２本のストラップ１０の間に一方側の腕を通して肩まで挿入した想定のみの使用状態説明図である。
【図１４】は、図１１の実施形態において、一方側の肩の線上の首根位置と肩先位置間に２本のストラップ１０を重ね合わせ若しくは寄り添わせて、２本のストラップ１０を衣服用ボタンにストラップの外径より細めの内径の連結孔９３を設けたボタン形状留め具６１の連結孔９３ｃに通し２本のストラップ１０を連結するとしたボタン形状留め具６１で肩当て連結部６を形成している、２本のストラップ１０の間に一方側の腕を通して肩まで挿入した想定のみの使用状態説明図である。
【図１５】は、図１１の実施形態において、一方側の肩の線上の首根位置と肩先位置間に２本のストラップ１０を重ね合わせ若しくは寄り添わせて、面ファスナーで２本のストラップ１０を束ねて巻き付けて連結するとした面ファスナー式留め具６３で肩当て連結部６を形成している、２本のストラップ１０の間に一方側の腕を通して肩まで挿入した、２本のストラップ１０の間に一方側の腕を通して肩まで挿入した想定のみの使用状態説明図である。
【図１６】は、図１１の実施形態において、一方側の肩の線上の首根位置と肩先位置間に２本のストラップ１０を重ね合わせ若しくは寄り添わせて、２本のストラップ１０を複数の連結孔９３を有するバックル型連結具５３の複数の連結孔９３ｂに２本のストラップ１０を通し絡めて連結するとしたバックル型連結具５３で肩当て連結部６を形成している、２本のストラップ１０の間に一方側の腕を通して肩まで挿入した、２本のストラップ１０の間に一方側の腕を通して肩まで挿入した想定のみの使用状態説明図である。
【図１７】は、図１２の実施形態において、一方側の肩の線上の２本のストラップ１０に、ロックボタン式連結具５２で形成される肩当て連結部６を介して使用者の地位を識別する社長の文字がプリントされた肩章７１が使用者（地位・階級）を識別する識別用の装身具７として飾られている使用状態説明図である。
【図１８】は、図１２の実施形態において、一方側の肩の線上の２本のストラップ１０にスカーフ７３を巻き付けて結んで形成される結び目６２を肩当て連結部６として、オリンピックのサッカー競技を図形で表しプリントしたスカーフ７３を使用者の使用目的（オリンピックの競技会場ＰＲ）を識別する識別用の装身具７として飾られている、２本のストラップ１０の間に一方側の腕を通して肩まで挿入した想定のみの使用状態説明図である。
【図１９】は、図１２の実施形態において、一方側の肩の線上の２本のストラップ１０に備えられた肩当て連結部６のロックボタン式連結具５２の底面にリボン７４を貼り付けた構成で、北海道の地図とスキー競技のイラストをプリントしたリボン７４を、使用者の使用目的（地域ＰＲ）を識別する識別用の装身具７として飾られている、２本のストラップ１０の間に一方側の腕を通して肩まで挿入した想定のみの使用状態説明図である。
【図２０】は、図１２の実施形態において、一方側の肩の線上の２本のストラップ１０に備えられた肩当て連結部６のバックル型連結具５３から環状の細い紐３５で、肩に飾れる大きさの会社ＰＲ用のマスコット犬の縫いぐるみ７６を、使用者の使用目的（会社ＰＲ用）を識別する識別用の装身具７として飾られている、２本のストラップ１０の間に一方側の腕を通して肩まで挿入した想定のみの使用状態説明図である。
【図２１】は、図１２の実施形態において、ミニチュアのサッカーボール７５に連結孔９３を設けサッカーボール７５の連結孔９３ｅとし、２本のストラップ１０をサッカーボール７５の連結孔９３ｅに通して２本のストラップ１０を連結し、サッカーボール７５の連結孔９３ｅを肩当て連結部６として、一方側の肩の線上の２本のストラップ１０に、サッカーボール７５を使用者の使用目的（スポーツ大会等のイベントＰＲ用）を識別する識別用の装身具７として飾られている、２本のストラップ１０の間に一方側の腕を通して肩まで挿入した想定のみの使用状態説明図である。
【図２２】は、図１２の実施形態において、他方側に位置するストラップ１２に安全装置８を備えた使用状態説明図である。
【図２３】は、図２２の実施形態において、２本のストラップ１０の間に一方側の腕を通して肩まで挿入している使用状態で、他方側に位置するストラップ１２に一定の引っ張り荷重を超える引っ張り荷重がかかり、安全装置８としての雄雌差込式連結具４２の雄連結部材４２ａと雌連結部材４２ｂが分断している、２本のストラップ１０の間に一方側の腕を通して肩まで挿入した想定のみの使用状態説明図である。
【発明を実施するための形態】
【００５０】
以下、本発明の実施の形態を図面に基づき説明する。
【００５１】
図１は、図１の実施形態に係るショルダネックストラップ１の中央位置に二股部１６を形成し、二股部１６から２本のストラップ１０を首を挟んで左右いずれか一方側の肩に接して携帯用収納ケース２１まで吊り下げ、ストラップの下端部を携帯用収納ケース２１の取付端部２４に直接縫い付けて携帯用収納ケース２１を吊り下げ、２本のストラップ１０の間に一方側の腕を通して肩まで挿入して、名札２２を収納した携帯用収納ケース２１を腹部前面から一方側の脇腹方向（矢印方向）に引き寄せて吊り下げた使用状態説明図である。
【００５２】
なお、図面記載にあたり、明細書の文章を説明しやすくするため、使用者の首、一方側の腕を強調した体型想像図（マネキン人形）を細い一点鎖線で記載している。
また、２本のストラップ１０の間に一方側の腕を通して肩まで挿入した使用状態の、二股部１６から一方側の肩とお腹側を経て携帯用収納ケース２１を吊り下げる一方側ストラップ１１と、二股部１６から他方側の肩とお腹側を経て携帯用収納ケース２１を吊り下げる他方側に位置するストラップ１２は太い２点鎖線の想像線で記載し、二股部１６から一方側の背中側と脇腹を経て携帯用収納ケース２１を吊り下げる追加一方側ストラップ１３は太い破線の隠れ線で記載している。
【００５３】
図１の実施形態に係るショルダネックストラップ１は、ショルダネックストラップ１の略中央を使用者の首に掛け首から腹部前面に名札２２を収納した携帯用収納ケース２１を吊り下げた状態で、使用者の首に掛けた繊維を素材とした帯状のストラップの中央位置にもう１本の追加するストラップの上端部を縫い付け縫い目３８を形成して二股部１６を形成し、二股部１６から２本のストラップ１０を首を挟んで左右いずれか一方側の肩に接して携帯用収納ケース２１まで吊り下げ、２本のストラップ１０のいずれか１本のストラップを一方側ストラップ１１と称し、もう１本のストラップを追加したストラップとして追加一方側ストラップ１３と称して吊り下げている。また，二股部１６からストラップの長手方向のいずれか他方側に１本のストラップを首の左右いずれか他方側の肩に接して携帯用収納ケース２１まで吊り下げ他方側に位置するストラップ１２と称して吊り下げられている。
【００５４】
図１の携帯用収納ケース２１は、２本のストラップ１０の下端部を携帯用収納ケース２１の左右上端部のいずれか一方側の取付端部２４に直接縫い付けて形成される縫い目３８と、二股部１６から左右いずれか他方側に吊り下げられる他方側に位置するストラップ１２の下端部を携帯用収納ケース２１の左右上端部のいずれか他方側の取付端部２４に直接縫い付けて形成される縫い目３８とで、２本のストラップ１０と他方側に位置するストラップ１２の下端部に名札２２を収納した携帯用収納ケース２１を直接吊り下げられている。
【００５５】
図２は、図１の実施形態において、携帯用収納ケース２１の左右上端部の取付端部２４に設けたストラップを通す孔の上端部携帯用物品取付孔９１ａにストラップの下端部を通しストラップの端部をとめ結びして結び止め部３７を形成し、２本のストラップ１０と他方側に位置するストラップ１２の下端部に名札２２を収納した携帯用収納ケース２１を直接吊り下げている使用状態説明図である。
【００５６】
図２の実施形態に係るショルダネックストラップ１は、図１の実施形態において、携帯用収納ケース２１の左右上端部のいずれか一方側の取付端部２４に設けたストラップを通す孔の上端部携帯用物品取付孔９１ａに、二股部１６から左右いずれか一方側に吊り下げられる２本のストラップ１０の下端部を通し、ストラップの端部をとめ結びして上端部携帯用物品取付孔９１ａの内径より大きいこぶの結び止め部３７を形成し、また携帯用収納ケース２１の左右上端部のいずれか他方側の取付端部２４に設けた上端部携帯用物品取付孔９１ａに他方側に位置するストラップ１２の下端部を通し、ストラップの端部をとめ結びして結び止め部３７を形成して、２本のストラップ１０と他方側に位置するストラップ１２の下端部に名札２２を収納した携帯用収納ケース２１を直接吊り下げられている。
【００５７】
図１、図２の実施形態は、上記のような構成であるから、ショルダネックストラップ１の略中央を使用者の首に掛け首から腹部前面に携帯用収納ケース２１を吊り下げた状態から、瞬時に、２本のストラップ１０の間に一方側の腕を通して肩まで挿入して、二股部１６から一方側の肩とお腹側を経て携帯用収納ケース２１を吊り下げる一方側ストラップ１１と、二股部１６から一方側の背中側と脇腹を経て携帯用収納ケース２１を吊り下げる追加一方側ストラップ１３と、二股部１６から左右いずれか他方側の肩とお腹側を経て携帯用収納ケース２１を吊り下げる他方側に位置するストラップ１２とで、名札２２を収納した携帯用収納ケース２１を腹部前面から一方側の脇腹方向（矢印方向）に引き寄せて吊り下げた構成で使用できる。
【００５８】
したがって、図１、図２の実施形態は、本発明の請求項１の効果に加えて、従来のネックストラップの略中央部等に二股部１６を形成し、二股部１６から左右いずれか一方側のストラップの長手方向に少なくとも１本の追加したストラップを重ね合わせ若しくは寄り添わせて追加一方側ストラップ１３とした簡単な構成で安価にも提供できる。
【００５９】
また、図１の実施形態は、２本のストラップ１０と他方側に位置するストラップ１２の下端部を携帯用収納ケース２１の取付端部２４に縫い付けるだけの簡単な手段で、名札や携帯電話若しくは携帯電子機器等を収納する携帯用収納ケース２１とショルダネックストラップ１を一体化した各種デザインのショルダネックストラップ付き携帯用収納ケース２１を安価に提供できる。
【００６０】
また、図２の実施形態は、２本のストラップ１０と他方側に位置するストラップ１２の下端部を携帯用収納ケース２１等の上端部携帯用物品取付孔９１ａに通し、ストラップの端部をとめ結びして上端部携帯用物品取付孔９１ａの内径より大きいこぶの結び止め部３７を形成するとしただけの簡単な手段で、名札や携帯電話若しくは携帯電子機器等を収納する携帯用収納ケース２１を直接吊り下げれるショルダネックストラップ１を安価に提供できる。
【００６１】
二股部１６を形成する位置は、図１、図２の実施形態では図に示すようにショルダネックストラップ１の中央位置等に設けた事例で説明しているが、二股部１６は使用者の首に掛けたストラップが接触する首を挟んで左右いずれか一方側の首根位置付近より首の左右いずれか他方側に位置するストラップのいずれかの位置に使用者の体型や使用環境等を考慮して設けられれば良く、例えば、二股部１６を首を挟んで左右いずれか一方側の首根位置付近に設けて使用者の体型や使用環境等に合わせた構成で使用者専用としてオーダーメイド的なショルダネックストラップの提供で使用できるようにしたり、首の左右いずれか他方側の首根位置付近に設けて２本のストラップ１０を長く形成して一方側の腕を通し肩まで挿入しやすく調整できるようにしたり、首の真後ろの首筋位置付近と接触するショルダネックストラップ１の中央位置に設けてショルダネックストラップを左右バランス良く首に掛けて使用できるようにしたり等、使用者の体型や使用環境等に合わせた構成で提供するのが望ましい。
【００６２】
図１、図２の 実施形態では、携帯用物品２を名札２２を収納した携帯用収納ケース２１としているが、「携帯電話、携帯用電子機器、社員証、パスポート」等のいずれの収納に使用する携帯用収納ケース２１に使用してもよく、また携帯用物品取付孔９１を有する「携帯電話、携帯用電子機器」等を直接吊り下げる構成で使用してもよいなど、使用者が色々工夫でして携帯用物品２を吊り下げられる。
【００６３】
実施形態では、ストラップを繊維を素材とした帯状のストラップとしているが、ストラップは繊維や革若しくは鎖等の柔軟性の帯状若しくは紐状の部材であればいずれでも良いが、望ましくは、肌に優しい繊維を素材とした帯状若しくは紐状のストラップが望ましい。
【００６４】
図１、図２の実施形態では、名札２２を収納した携帯用収納ケース２を、ストラップの下端部に縫い付け、若しくは結び止め部を形成するとした手段で直接吊り下げているが、携帯用物品２は使用者の都合で交換等を必要とする場合もあることから、ストラップに携帯用物品２を直接縫い付け若しくは結び止めとした手段で直接吊り下げるより、携帯用物品２とストラップとの間に吊り下げ具３を備え、吊り下げ具３を介して携帯用物品２を交換可能に吊り下げるのが望ましく、以下に種々の吊り下げ具３を介して携帯用物品２を交換可能に吊り下げる実施形態を例示する。
【００６５】
図３は、図１の実施形態において、二股部１６を首の左右いずれか他方側の首根位置付近に留め具３４で形成し、二股部１６から形成された２本のストラップ１０と他方側に位置するストラップ１２の３本のストラップの下端部にそれぞれ吊り下げ具３としてナスカン３２を備え、名札２２を収納した携帯用収納ケース２１を交換可能に吊り下げている使用状態説明図である。
【００６６】
図３の実施形態に係るショルダネックストラップ１は、図１の実施形態において、二股部１６を使用者の首に掛けたショルダストラップ１のストラップが接触する首の左右いずれか他方側の首根位置付近に、首に掛けたストラップに追加一方側ストラップ１３の端部を重ね合わせて金属製の管状の留め具３４で束ねて固定した構成で形成し、二股部１６から２本のストラップ１０を首を挟んで左右いずれか一方側の肩に接して携帯用収納ケース２１まで吊り下げ、その２本のストラップ１０を形成する一方側ストラップ１１と追加一方側ストラップ１３と、二股部１６から他方側の肩に接して携帯用収納ケース２１まで吊り下げられる他方側に位置するストラップ１２の３本のストラップの下端部にそれぞれ吊り下げ具３としてナスカン３２を備え、携帯用収納ケース２１の左右上端部のいずれか一方側の取付端部２４に設けたストラップを通す孔の上端部携帯用物品取付孔９１ａに、二股部１６から左右いずれか一方側に吊り下げられる２本のストラップ１０のいずれか１本の一方側ストラップ１１の下端部に備えたナスカン３２と、もう１本の追加一方側ストラップ１３の下端部に備えたナスカン３２を引っ掛け、携帯用収納ケース２１の左右上端部のいずれか他方側の取付端部２４に設けた上端部携帯用物品取付孔９１ａに他方側に位置するストラップ１２の下端部に備えたナスカン３２を引っ掛け、携帯用収納ケース２１を交換可能に吊り下げている。
【００６７】
図３の実施形態は、上記のような構成であるから、本発明の請求項１の効果に加えて、２本のストラップ１０を長く形成して一方側の腕を通し肩まで挿入しやすく調整できるようにしたり、２本のストラップ１０を形成する一方側ストラップ１１と追加一方側ストラップ１３と、他方側に位置するストラップ１２の３本のストラップの下端部にそれぞれ吊り下げ具３としてナスカン３２を備えたことで、素早く携帯用収納ケース２１を交換可能に吊り下げて使用できる。
【００６８】
図３の実施形態では、吊り下げ具３としてナスカン３２を備えているが、吊り下げ具３は、携帯用物品２とストラップを繋ぐためのもので、例えば「２重リング、丸カン、Ｄカン、Ｓカン、一対の連結部材を有する連結部型連結具、クリップ、ワニグチクリップ、留め具、環状の細い紐。」等のいずれか１つ若しくは２つ以上を組み合わせて成る、携帯用物品２とストラップを交換可能に繋ぐ構成の吊り下げ具３ならいずれでも良く、その他種々の吊り下げ具３を使用できる。
【００６９】
なお、吊り下げ具３は市販されているネックストラップ用の「２重リング、丸カン、Ｄカン、Ｓカン、一対の連結部材を有する連結部型連結具、クリップ、ワニグチクリップ、留め具、環状の細い紐。」等を使用できることから、その形状、構造、素材などの詳細は省略する。
【００７０】
図４は、図１の実施形態において、二股部１６を首の左右いずれか一方側の首根位置付近に金属製のＤカン３６で形成し、一方側ストラップ１１の下端部に備えたナスカン３２を携帯用収納ケース２１の左右上端部のいずれか他方側の取付端部２４に設けた上端部携帯用物品取付孔９１ａに他方側に位置するストラップ１２の下端部に備えたナスカン３２と共に引っ掛けて、携帯用収納ケース２１を交換可能に吊り下げている使用状態説明図である。
【００７１】
図４の実施形態に係るショルダネックストラップ１は、図３の実施形態において、二股部１６を首の左右いずれか一方側の首根位置付近に、他方側に位置するストラップの上端部を金属製のＤカン３６の貫通孔９２ａに通して留め具３４で固定した構成で金属製のＤカン３６で成る二股部１６を形成し、二股部１６の金属製のＤカン３６の貫通孔９２ａに一方側ストラップ１１と追加一方側ストラップ１３を連結した長さのストラップを通しストラップの中央付近でストラップを折り返し、金属製のＤカン３６で成る二股部１６から２本のストラップ１０を首を挟んで左右いずれか一方側の肩に接して携帯用収納ケース２１まで吊り下げ、２本のストラップ１０を形成する一方側ストラップ１１と追加一方側ストラップ１３と、二股部１６から首の左右いずれか他方側の肩に接して携帯用収納ケース２１まで吊り下げた他方側に位置するストラップ１２の３本のストラップの下端部にそれぞれ吊り下げ具３としてナスカン３２を備え、携帯用収納ケース２１の左右上端部のいずれか一方側の取付端部２４に設けた上端部携帯用物品取付孔９１ａに一方側ストラップ１１の下端部に備えたナスカン３２と追加一方側ストラップ１３の下端部に備えたナスカン３２を引っ掛け、携帯用収納ケース２１の左右上端部のいずれか他方側の取付端部２４に設けた上端部携帯用物品取付孔９１ａに他方側に位置するストラップ１２の下端部に備えたナスカン３２を引っ掛けて携帯用収納ケース２１を交換可能に吊り下げた図３の実施形態の状態から、一方側ストラップ１１の下端部に備えたナスカン３２を携帯用収納ケース２１の左右上端部のいずれか他方側の取付端部２４に設けた上端部携帯用物品取付孔９１ａに他方側に位置するストラップ１２の下端部に備えたナスカン３２と共に引っ掛けたりして携帯用収納ケース２１を交換可能に吊り下げている。
【００７２】
図４の実施形態は、上記のような構成であるから、本発明の請求項１の効果に加えて、ショルダネックストラップ１の略中央を使用者の首に掛け首から腹部前面に名札２２を収納した携帯用収納ケース２１を吊り下げた状態で、一方側ストラップ１１の下端部に備えたナスカン３２を携帯用収納ケース２１の左右上端部のいずれか他方側の取付端部２４に設けた上端部携帯用物品取付孔９１ａに引っ掛けて、２本のストラップ１０の一方側ストラップ１１と追加一方側ストラップ１３の間を拡げた構成にして、一方側の腕を通し易くした構成でも使用できる等、使用者の好みで図３の構成にしたり図４の構成にしたりしても使用できる。
【００７３】
図５は、図１の実施形態において、二股部１６をロックボタン式連結具５２で形成し、２本のストラップ１０と他方側に位置するストラップ１２にそれぞれ吊り下げ具３としてナスカン３２を備え、携帯用収納ケース２１の上部中央に有する１つの中央部携帯用物品取付孔９１に引っ掛けて、携帯用収納ケース２１を交換可能に吊り下げている使用状態説明図である。
【００７４】
図５の実施形態に係るショルダネックストラップ１は、図１の実施形態において、ショルダネックストラップ１を形成する２本のストラップ１０の追加一方側ストラップ１３の上端部を他方側に位置するストラップ１２の途中部分まで延長し、重ね合う２本のストラップ１０を長目になるよう形成し、使用者の首に掛けたショルダネックストラップ１の中央位置に、２本のストラップ１０をロックボタン式連結具５２の連結孔９３ａに通して２本のストラップ１０を連結した構成で二股部１６を形成し、二股部１６を形成するロックボタン式連結具５２を首を挟んで左右いずれか一方側の首根位置から重ね合わせた追加一方側ストラップ１３の上端部間の重ね合う２本のストラップ１０の長手方向に移動可能に備え、追加一方側ストラップ１３の上端部に結び止め部３７を設けて移動可能のロックボタン式連結具５２を止めれる構成にし、二股部１６から２本のストラップ１０を首を挟んで左右いずれか一方側の肩に接して携帯用収納ケース２１まで吊り下げ、その２本のストラップ１０を形成する一方側ストラップ１１と追加一方側ストラップ１３と、二股部１６から首の左右いずれか他方側の肩に接して携帯用収納ケース２１まで吊り下げた他方側に位置するストラップ１２の３本のストラップの下端部にそれぞれ吊り下げ具３としてナスカン３２を備え、３本のストラップの下端部にそれぞれ備えたナスカン３２を携帯用収納ケース２１の上部中央に有する１つの中央部携帯用物品取付孔９１ｂに引っ掛けて、携帯用収納ケース２１を交換可能に吊り下げている。
【００７５】
図５の実施形態は、上記のような構成であるから、本発明の請求項１の効果に加えて、二股部１６を使用者の首に掛けたショルダネックストラップ１の首を挟んで左右いずれか一方側の首根位置から首筋位置や他方側の首根位置付近若しくは他方側に位置するストラップの途中部分に移動させて、使用者の体型や使用環境等を考慮して２本のストラップ１０の長短を調整しながら使用することもできる。
【００７６】
また、図３、図４、図５のような構成に、３本のストラップの下端部にそれぞれナスカン３２を吊り下げ具３として備えたことで、携帯用収納ケース２１の携帯用物品取付孔９１の構成に合わせてストラップの下端部への吊り下げ構成を種々工夫して使用できる。
【００７７】
図６は、図５の実施形態において、二股部１６をバックル型連結具５３で形成して、２本のストラップ１０の下端部に備えた金属製の２重リング３１と他方側に位置するストラップ１２の下端部に備えた金属製の２重リング３１を介して左右上端部に上端部携帯用物品取付孔９１ａを有する携帯用収納ケース２１を交換可能に吊り下げている使用状態説明図である。
【００７８】
図６の実施形態に係るショルダネックストラップ１は、図５の実施形態において、二股部１６をロックボタン式連結具５２より平らな形状で構成できる複数の連結孔９３を有するバックル型連結具５３で、バックル型連結具５３の複数の連結孔９３ｂに２本のストラップ１０を出し入れして絡めて通して２本のストラップ１０を連結するとした構成で形成し、バックル型連結具５３で二股部１６を首を挟んで左右いずれか一方側の首根位置から重ね合わせた追加一方側ストラップ１３の上端部間の重ね合う２本のストラップ１０の長手方向に移動可能に備え、追加一方側ストラップ１３の上端部に結び止め部３７を設けて移動可能のバックル型連結具５３を止めれる構成にし、二股部１６から首を挟んで左右いずれか一方側の肩に接して携帯用収納ケース２１まで吊り下げられる２本のストラップ１０を形成する一方側ストラップ１１と追加一方側ストラップ１３の下端部を金属製の２重リング３１の貫通孔９２ｂに通して折り返し重ね合わせて留め具３４で固定し、二股部１６から首の左右いずれか他方側の肩に接して携帯用収納ケース２１まで吊り下げた他方側に位置するストラップ１２の下端部にも、２本のストラップ１０の下端部とバランスよく対称となるデザインの金属製の２重リング３１の貫通孔９２ｂに他方側に位置するストラップ１２の下端部を通して折り返し重ね合わせて留め具３４で固定して金属製の２重リング３１を吊り下げ具３として備え、２本のストラップ１０の下端部に備えた金属製の２重リング３１と他方側に位置するストラップ１２の下端部に備えた金属製の２重リング３１の貫通孔９２ｂを介して左右上端部に上端部携帯用物品取付孔９１ａを有する携帯用収納ケース２１を交換可能に吊り下げている。
【００７９】
図６の実施形態は、上記のような構成で、図５の実施形態の二股部１６をバックル型連結具５３とし、２本のストラップ１０と他方側に位置するストラップ１２の下端部にバランスよく対称となるデザインの金属製の２重リング３１を吊り下げ具３として備えた構成であるから、本発明の請求項１の効果に加えて、ロックボタン式連結具５２より平らな形状で構成できるバックル型連結具５３を二股部１６としたことで、二股部１６を嵩張らない形状で図５の実施形態と同様の効果で使用できる。
【００８０】
図７は、図６の実施形態において、一方側ストラップ１１と追加一方側ストラップ１３と他方側に位置するストラップ１２の下端部に雄雌差込式連結具４２と環状の細い紐３５を組み合わせて成る吊り下げ具３を介して上部中央に中央部携帯用物品取付孔９１ｂを設けた名札２２を収納した携帯用収納ケース２１を交換可能に吊り下げている使用状態説明図である。
【００８１】
図７の実施形態に係るショルダネックストラップ１は、図６の実施形態において、バックル型連結具５３で形成される二股部１６から首を挟んで左右いずれか一方側の肩に接して携帯用収納ケース２１まで吊り下げられる２本のストラップ１０を形成する一方側ストラップ１１と追加一方側ストラップ１３と、二股部１６から首の左右いずれか他方側の肩に接して携帯用収納ケース２１まで吊り下げた他方側に位置するストラップ１２の３本のストラップの下端部を束ねて、束ねた３本のストラップを雄雌差込式連結具４２の上部に有する貫通孔９２ｃに通して折り返し、折り返したストラップの端部を重ね合わせ留め具３４で固定した構成で、２本のストラップ１０を形成する一方側ストラップ１１と追加一方側ストラップ１３と他方側に位置するストラップ１２の３本のストラップの下端部に、雄雌差込式連結具４２の下部に有する貫通孔９２ｃに環状の細い紐３５を吊り下げた吊り下げ具３を備え、吊り下げ具３を介して上部中央に中央部携帯用物品取付孔９１ｂを設けた名札２２を収納した携帯用収納ケース２１を交換可能に吊り下げている。
【００８２】
なお、上部に貫通孔９２を有し下部に環状の細い紐３５を有す雄雌差込式連結具４２は、市販されているネックストラップ用連結具を使用できることから、その形状、構造、素材などの詳細は省略する。
【００８３】
図７の実施形態は、上記のような構成で、図６の実施形態において、上部に貫通孔９２ｃを有し下部に環状の細い紐３５を有す雄雌差込式連結具４２を吊り下げ具３とした構成であるから、本発明の請求項１の効果に加えて、二股部１６を使用者の体型や使用環境等を考慮して２本のストラップ１０の長短を調整できる他、上部に貫通孔９２を有し下部に環状の細い紐３５を有す雄雌差込式連結具４２を吊り下げ具３としたことで携帯用収納ケース２１等の交換をさらに容易にして使用できる。
【００８４】
二股部１６を形成する方法は、実施形態では二股部１６をショルダネックストラップ１の中央位置等に、例えば「図１、図２に示すように追加一方側ストラップ１３の上端部を縫い付けたり。図３に示すように追加一方側ストラップ１３の上端部を留め具３４で固定したり。図４に示すように金属製のＤカン３６の貫通孔９２ａを介して２本のストラップ１０と他方側に位置するストラップ１２を連結したりして二股部１６を形成したり。図５、図６、図７に示すようにロックボタン式連結具５２やバックル型連結具５３等で２本のストラップ１０の長手方向に沿って移動可能に形成したり。」等しているが、二股部１６はストラップの長手方向にストラップが１本から２本に二股に成る二股部１６が形成されるなら実施形態で図示する他、例えば「一対の連結部材を有する連結部型連結具４で連結して二股部１６を形成する方法。１本のストラップから二股に２本のストラップを織りあげて二股部１６を形成する方法。幅広のストラップの途中部分をストラップの長手方向に沿って中心線を切り裂き１本のストラップを２本のストラップにして二股部１６を形成する方法。」等、その他種々のストラップの長手方向にストラップが１本から２本に二股に成る二股部１６が形成される方法が使用できる。
【００８５】
なお、ロックボタン式連結具５２やバックル型連結具５３は、市販されているネックストラップ用連結具の「コードストッパー、バックル」等を使用できることから、その形状、構造、素材などの詳細は省略する。
【００８６】
図８は、図１の実施形態において、２本のストラップ１０の下端部を一本の長いストラップを重ね合わせる形状に折り返した状態に連結して閉じて環状形一方側ストラップ１５を形成し、環状形一方側ストラップ１５を形成する２本のストラップ１０の間に一方側の腕を通して肩まで挿入して、名札２２を収納した携帯用収納ケース２１を腹部前面から一方側の脇腹間の脇腹方向（矢印方向）の任意の位置に引き寄せて吊り下げた使用状態説明図である。
【００８７】
図８の実施形態に係るショルダネックストラップ１は、図１の実施形態において、ショルダネックストラップ１を他方側に位置するストラップ１２と一方側ストラップ１１と追加一方側ストラップ１３とが連結する長さの繊維を素材とした帯状の１本の長いストラップで形成され、他方側に位置するストラップ１２と一方側ストラップ１１の連結位置を首に掛け、首を挟んで左右いずれか一方側に一方側ストラップ１１と追加一方側ストラップ１３の長さ見合いの長さのストラップを吊り下げ、一方側ストラップ１１と追加一方側ストラップ１３の連結位置で追加一方側ストラップ１３を一方側ストラップ１１の長手方向に重ね合わせる形状に折り返し、一方側ストラップ１１と追加一方側ストラップ１３で２本のストラップ１０の下端部を一本の長いストラップを重ね合わせる形状に折り返した状態に連結して閉じた形状にし、追加一方側ストラップ１３の端部をショルダネックストラップ１の中央位置（他方側に位置するストラップ１２と一方側ストラップ１１の連結位置。）に縫い付け縫い目３８を形成して二股部１６を形成し、二股部１６から２本のストラップ１０を首を挟んで左右いずれか一方側の肩に接して携帯用収納ケース２１まで吊り下げ、２本のストラップ１０の下端部を一本の長いストラップを重ね合わせる形状に折り返した状態に連結して閉じ環状に形成されて環状形一方側ストラップ１５と称して吊り下げられている。
【００８８】
携帯用収納ケース２１は、携帯用収納ケース２１の左右上端部に有する左右いずれか一方側の上端部携帯用物品取付孔９１ａに環状形一方側ストラップ１５の下端部のストラップを直接通して、環状形一方側ストラップ１５の下端部に携帯用収納ケース２１の左右上端部に有する左右いずれか一方側の上端部携帯用物品取付孔９１ａを環状形一方側ストラップ１５の下端部の環状と成るストラップの長手方向に接して移動可能に吊り下げ、携帯用収納ケース２１の左右上端部に有する他方側の上端部携帯用物品取付孔９１ａに他方側に位置するストラップ１２の下端部のストラップを直接通して折り返し留め具３４で固定し、他方側に位置するストラップ１２の下端部に携帯用収納ケース２１の左右上端部に有する他方側の上端部携帯用物品取付孔９１ａを固定状態にして吊り下げている。
【００８９】
なお、携帯用収納ケース２１の左右上端部に有する左右いずれか一方側の上端部携帯用物品取付孔９１ａは、通すストラップに接して通すストラップの長手方向に滑らかに移動可能にするため、通すストラップの外径より拡めの内径の孔にすることが望ましい。
【００９０】
図８の実施形態は、上記のような構成で、ショルダネックストラップ１の略中央を使用者の首に掛け首から腹部前面に名札２２を収納した携帯用収納ケース２１を吊り下げた状態から、瞬時に、環状形一方側ストラップ１５を形成する２本のストラップ１０の間に一方側の腕を通して肩まで挿入して、二股部１６から一方側の肩とお腹側を経て携帯用収納ケース２１を吊り下げる一方側ストラップ１１と、二股部１６から一方側の背中側と脇腹を経て携帯用収納ケース２１を吊り下げる追加一方側ストラップ１３と、二股部１６から左右いずれか他方側の肩とお腹側を経て携帯用収納ケース２１を吊り下げる他方側に位置するストラップ１２とで、名札２２を収納した携帯用収納ケース２１を腹部前面から一方側の脇腹間の脇腹方向（矢印方向）の任意の位置に引き寄せて吊り下げた構成で使用でき、 環状形一方側ストラップ１５の下端部に携帯用収納ケース２１の左右上端部に有する左右いずれか一方側の上端部携帯用物品取付孔９１ａを環状形一方側ストラップ１５の下端部の環状と成るストラップの長手方向に接して移動可能に吊り下げられるから、本発明の請求項１の効果に加えて、環状形一方側ストラップ１５を形成する２本のストラップ１０の間に一方側の腕を通して肩まで挿入して、携帯用収納ケース２１を首と肩を支点にして腹部前面に吊り下げた状態でも、携帯用収納ケース２１を腹部前面から一方側の脇腹間の使用者が体裁良く使用しやすいと感じる脇腹方向（矢印方向）の任意の位置に吊り下げた状態ても、携帯用収納ケース２１を首と肩を支点にして吊り下げ一方側の脇腹と一方側の腕の下に携帯用収納ケース２１を挟んだり等して隠した状態のいずれでも、一方側ストラップ１１、他方側に位置するストラップ１２、追加一方側ストラップ１３のいずれのストラップにも緩みのない状態で携帯用収納ケース２１を吊り下げて使用できる。
【００９１】
図９は、図８の実施形態において、環状形一方側ストラップ１５の下端部に金属製の２重リング３１をストラップの長手方向に接して移動可能に備え、他方側に位置するストラップ１２の下端部にもバックル型連結具５３で他方側に位置するストラップ１２の長短を調整できるように金属製の２重リング３１を備え、環状形一方側ストラップ１５の下端部と他方側に位置するストラップ１２の下端部に備えた金属性の２重リング３１を介して名札２２を収納した携帯用収納ケース２１を交換可能に吊り下げて使用している使用状態説明図である。
【００９２】
図９の実施形態に係るショルダネックストラップ１は、図８の実施形態において、環状形一方側ストラップ１５の下端部のストラップを、ストラップの外形より大きい内径の貫通孔９２を有する金属製の２重リング３１の貫通孔９２ｃに通して、環状形一方側ストラップ１５の下端部に金属製の２重リング３１を環状形一方側ストラップ１５の下端部の環状と成るストラップの長手方向に接して移動可能に備え、他方側に位置するストラップ１２の下端部にも環状形一方側ストラップ１５の下端部の金属製の２重リング３１と外観上のバランスをとるため、金属製の２重リング３１の貫通孔９２ｃに他方側に位置するストラップ１２の下端部を通して折り返し、折り返し重ね合わせたストラップをバックル型連結具５３の連結孔９３ｂに通し連結し、バックル型連結具５３で他方側に位置するストラップ１２の長短を調整できるように他方側に位置するストラップ１２の下端部に金属製の２重リング３１を備え、携帯用収納ケース２１の左右上端部に有する左右いずれか一方側の上端部携帯用物品取付孔９１ａに環状形一方側ストラップ１５の下端部に備えた金属製の２重リング３１を通して環状形一方側ストラップ１５の下端部のストラップの長手方向に沿って携帯用収納ケース２１の一方側の上端部携帯用物品取付孔９１ａを移動可能に吊り下げ、携帯用収納ケース２１の左右上端部に有する他方側の上端部携帯用物品取付孔９１ａに他方側に位置するストラップ１２の下端部に備えた金属製の２重リング３１を通して携帯用収納ケース２１の他方側の上端部携帯用物品取付孔９１ａを吊り下げ、環状形一方側ストラップ１５の下端部と他方側に位置するストラップ１２の下端部に金属製の２重リング３１を介して名札２２を収納した携帯用収納ケース２１を交換可能に吊り下げて使用している。
【００９３】
なお、金属製の２重リング３１の貫通孔９２ｃは、通すストラップに接して通すストラップの長手方向に滑らかに移動可能にするため、通すストラップの外径より拡めの内径の孔にすることが望ましい。
【００９４】
図９の実施形態は、上記のような構成であるから、本発明の請求項１から請求項２のいずれか１項に記載の効果に加え、他方側に位置するストラップの下端部に２重リング３１を備えるため使用したバックル型連結具５３で、他方側に位置するストラップ１２の長短やショルダーネックストラップ１全体の長短も調整して使用できる。
【００９５】
図１０は、図９の実施形態において、環状形一方側ストラップ１５の下端部と他方側に位置するストラップ１２の下端部に一つの金属製の２重リング３１と環状の細い紐３５と雄雌差込式連結具４２を組み合わせて成る吊り下げ具３を備え、吊り下げ具３を介して上部中央に中央部携帯用物品取付孔９１ｂを設けた名札２２を収納した携帯用収納ケース２１を交換可能に吊り下げている使用状態説明図である。
【００９６】
図１０の実施形態に係るショルダネックストラップ１は、図９の実施形態において、環状形一方側ストラップ１５の下端部の環状と成るストラップの長手方向に接して移動可能に備えた金属製の２重リング３１の貫通孔９２ｂに他方側に位置するストラップ１２の下端部も通して折り返し、折り返した重ね合わせたストラップをバックル型連結具５３の連結孔９３ｂに通し連結し、環状形一方側ストラップ１５の下端部と他方側に位置するストラップ１２の下端部に１つの金属製の２重リング３１と雄雌差込式連結具４２と環状の細い紐３５とを組み合わせて成る吊り下げ具３を備え、吊り下げ具３を介して上部中央に中央部携帯用物品取付孔９１ａを設けた名札２２を収納した携帯用収納ケース２１を交換可能に吊り下げている。
【００９７】
図１０の実施形態は、上記のような構成であるから、本発明の請求項１から請求項２のいずれか１項に記載の効果に加え、他方側に位置するストラップの長短を調整することでショルダーネックストラップ１全体の長短を調整して使用でき、さらに、雄雌差込式連結具４２で上部中央に中央部携帯用物品取付孔９１ｂを有する携帯用収納ケース２１の交換をさらに容易にして使用できる。
【００９８】
環状形一方側ストラップ１５を形成する方法は、図８、図９、図１０に示す実施形態では他方側に位置するストラップ１２と一方側ストラップ１１と追加一方側ストラップ１３が連結する１本の長いストラップで形成しているが、環状形一方側ストラップ１５は首を挟んで左右いずれか一方側に吊り下げられる２本のストラップ１０の下端部を一本の長いストラップを重ね合わせる形状に折り返した状態に連結して閉じ環状に形成される構成であれば、環状形一方側ストラップ１５を形成する方法は、例えば「２本のストラップ１０の一方側ストラップ１１と追加一方側ストラップ１３の下端部を１本のストラップを折り返したように接続部が感じられないように縫い合わせたり、接着したりして一本の長いストラップを重ね合わせる形状に折り返した状態に連結して形成する方法。環状形一方側ストラップ１５を繊維で環状に織りあげて形成する方法。一方側ストラップ１１の下端部位置でストラップを折り返し端部を延長し、折り返し延長した端部を二股部１６に接続して形成する方法。追加一方側ストラップ１３の下端部位置でストラップを折り返し端部を延長し、折り返し延長した端部を一方側ストラップ１１の途中部分で切断した端部に一対の連結部材を有する連結部型連結具４を介して連結して形成する方法。」等いずれでも良く、本発明は実施形態に限定されない。
【００９９】
図１１は、図８の実施形態において、環状形一方側ストラップ１５を形成する２本のストラップ１０の間に一方側の腕を通して肩まで挿入している状態で、一方側の肩の線上に２本のストラップ１０を重ね合わせ若しくは寄り添わせてロックボタン式連結具５２で連結する肩当て連結部６を形成している使用状態説明図である。
【０１００】
図１１の実施形態に係るショルダネックストラップ１は、図８の実施形態において、環状形一方側ストラップ１５を形成する２本のストラップ１０の間に一方側の腕を通して肩まで挿入している状態で、一方側の肩の線上の首根位置と肩先位置間に、環状形一方側ストラップ１５を形成する２本のストラップ１０を重ね合わせ若しくは寄り添わせて、ロックボタン式連結具５２に有する連結孔９３ａに通して２本のストラップ１０を連結して、ロックボタン式連結具５２で一方側の肩の線上に肩当て連結部６を形成している。
【０１０１】
図１１の実施形態は、上記のような構成で、二股部１６から肩当て連結部６までの２本のストラップ１０と、肩当て連結部６から一方側の肩を挟んで前後に二股に分かれ、お腹側に吊り下げられる前記一方側ストラップ１１と、背中側に吊り下げられる前記追加一方側ストラップ１３の３方向に支えられて、肩当て連結部６を一方側の肩の線上の首根位置と肩先位置間に押しつけた状態に定着させて使用できるから、本発明の請求項１から請求項２のいずれか１項に記載の効果に加え、
【０１０２】
ロックボタン式連結具５２で形成された肩当て連結部６により、一方側の肩の線上の首根位置と肩先位置間に位置する肩当て連結部６から２本のストラップ１０が一方側の肩を挟んで前後に二股に分かれ、お腹側に吊り下げられる一方側ストラップ１１と、背中側に吊り下げられる追加一方側ストラップ１３で名札２２を収納した携帯用収納ケース２１の左右上端部に有する左右いずれか一方側の上端部携帯用物品取付孔９１ａを吊り下げることになり、一方側の肩の線上の首根位置と肩先位置間に名札２２を収納した携帯用収納ケース２１等の荷重負担を多くかけて、首への荷重負担を軽減して吊り下げて使用でき、さらに、図１１に示すように一方側の肩の線上の首根位置と肩先位置間に肩当て連結部６を形成し２本のストラップ１０を重ね合わせ若しくは寄り添わせたことで、図８に示すように二股部１６から一方側の脇腹側に位置する名札２２を収納した携帯用収納ケース２１等まで斜めに吊り下げられていた一方側ストラップ１１と追加一方側ストラップ１３を、図１１に示すように一方側の肩の線上の首根位置と肩先位置間に有している肩当て連結部６により、一方側ストラップ１１と追加一方側ストラップ１３を一方側の肩の線上の首根位置と肩先位置間からほぼ身長方向にショルダーストラップ状にスマートに吊り下げて使用できる。
【０１０３】
図１２は、図９の実施形態において，環状形一方側ストラップ１５を形成する２本のストラップ１０の間に一方側の腕を通して肩まで挿入している状態で、一方側の肩の線上に２本のストラップ１０を重ね合わせ若しくは寄り添わせてロックボタン式連結具５２で連結する肩当て連結部６を形成している使用状態説明図である。
【０１０４】
図１２の実施形態に係るショルダネックストラップ１は、図９の実施形態において、環状形一方側ストラップ１５を形成する２本のストラップ１０の間に一方側の腕を通して肩まで挿入している状態で、一方側の肩の線上の首根位置と肩先位置間に、環状形一方側ストラップ１５を形成する２本のストラップ１０を重ね合わせ若しくは寄り添わせて、ロックボタン式連結具５２に有する連結孔９３ａに通して２本のストラップ１０を連結して、ロックボタン式連結具５２で一方側の肩の線上にあてる肩当て連結部６を形成している実施形態で、図１１の実施形態と違い、他方側に位置するストラップ１２の下端部に金属製の２重リング３１をバックル型連結具５３を介して備えている。
【０１０５】
図１２の実施形態は、上記のような構成であるから、本発明の請求項１から請求項２のいずれか１項に記載の効果に加え、図１１の実施形態と同様に使用できる他、他方側に位置するストラップ１２の下端部に金属製の２重リング３１をバックル型連結具５３を介して備えたことで、他方側に位置するストラップ１２の長短を調整し、ショルダーネックストラップ１全体の長短も調整して使用できる。
【０１０６】
図１１、図１２の実施形態では肩当て連結部６を、ロックボタン式連結具５２で形成しているが、肩当て連結部６は一方側の肩の線上の首根位置と肩先位置間に２本のストラップ１０を重ね合わせ若しくは寄り添わせて、２本のストラップ１０を連結させる構成であればよく、例えば「図１３に示すように、一方側の肩の線上の首根位置と肩先位置間に２本のストラップ１０を重ね合わせ若しくは寄り添わせて、２本のストラップ１０を長めのリボン７４で巻き付けて結んで成る結び目６２で肩当て連結部６を形成したり。図１４に示すように、一方側の肩の線上の首根位置と肩先位置間に２本のストラップ１０を重ね合わせ若しくは寄り添わせて、２本のストラップ１０を衣服用ボタンに連結孔９３を設けたボタン形状留め具６１の連結孔９３ｃに通し連結するとしたボタン形状留め具６１で肩当て連結部６を形成したり。図１５に示すように、一方側の肩の線上の首根位置と肩先位置間に２本のストラップ１０を重ね合わせ若しくは寄り添わせて、面ファスナーで２本のストラップ１０を束ねて巻き付けて連結するとした面ファスナー式留め具６３で肩当て連結部６を形成したり。図１６に示すように、一方側の肩の線上の首根位置と肩先位置間に２本のストラップ１０を重ね合わせ若しくは寄り添わせて、２本のストラップ１０を複数の連結孔９３を有するバックル型連結具５３の複数の連結孔９３ｂに通し絡めて連結するとしたバックル型連結具５３で肩当て連結部６を形成したり。」等、その他種々の２本のストラップ１０を重ね合わせ若しくは寄り添わせて連結させる構成を使用できる。
【０１０７】
なお、２本のストラップ１０を通し連結するロックボタン式連結具５２やバックル型連結具５３は、市販されているネックストラップ用の「コードストッパー、バックル」等を使用できることから、その形状、構造、素材などの詳細は省略する。
【０１０８】
図１７は、図１２の実施形態において，一方側の肩の線上の２本のストラップ１０に、ロックボタン式連結具５２で形成される肩当て連結部６を介して使用者の地位を識別する社長の文字がプリントされた肩章７１が使用者を識別する識別用の装身具７として飾られている使用状態説明図である。
【０１０９】
図１７の実施形態に係るショルダネックストラップ１は、図１２の実施形態において，板状の厚い布を前方後円墳形状に形成し、表面に使用者の「地位・階級」を明示する文字として社長の文字をプリントした使用者の肩を飾る肩章７１を識別用の装身具７として、その肩章７１の長手方向の上端部にロックボタン式連結具５２に嵌める孔（以下、嵌着孔７７と称す。）を設け、肩章７１の嵌着孔７７をロックボタン式連結具５２に嵌めて接着剤等で接着し、肩章７１がロックボタン式連結具５２で形成される肩当て連結部６を介して一方側の肩の線上に識別用の装身具７として飾られている。
【０１１０】
図１７の実施形態は、上記のような構成で、使用者は２本のストラップ１０の一方側の肩の線上と接触する位置にロックボタン式連結具５２で形成される肩当て連結部６を介して取り付けられている肩章７１の下方に吊り下げられる２本のストラップ１０の間に一方側の腕を通して肩まで挿入して、二股部１６から肩当て連結部６までの２本のストラップ１０と、肩当て連結部６から一方側の肩を挟んで前後に二股に分かれ、お腹側に吊り下げられる一方側ストラップ１１と、背中側に吊り下げられる追加一方側ストラップ１３の３方向に支えられて、肩章７１が一方側の肩の線上の首根位置と肩先位置間に押しつけられるようにして定着状態に飾られて使用されるから、請求項１から請求項３に記載の効果に加え、肩章７１を本発明のショルダネックストラップ１のワンポイントアクセサリーとする他、本発明のショルダネックストラップ１の使用者の地位・階級等の識別を明示して使用できる。
【０１１１】
識別用の装身具７は、図１７の実施形態では使用者の地位・階級等を明示した使用者の肩を飾る肩章７１としているが、識別用の装身具７は使用者の肩や首回りを飾れる装身具で、使用者の肩に載せて若しくは肩から吊り下げて飾れる大きさで、繊維等を素材とした柔軟性の有る部材や滑らかな形状の部材で形成され、使用者の地位・階級等の識別、例えば「社長・部長、優勝者・準優勝者、男性・女性、大人・子供」等や、使用目的の識別、例えば「会社のＰＲ、団体のＰＲ、商品のＰＲ、地域のＰＲ各種イベントのＰＲ、各種スポーツのＰＲ、各種祈願。」等を「文字、図形、形状」等の一種類若しくは二種類以上を組み合わせて成るデザインにした、例えば「図１７に示すような、表面に使用者の地位・階級等を表す社長の文字をプリントした肩章７１を使用者の（地位・階級）を識別する識別用の装身具７としたり。図１８に示すような、オリンピックのサッカー競技を図形で表しプリントしたスカーフ７３を使用者の使用目的（オリンピックの競技会場ＰＲ）を識別する識別用の装身具７としたり。図１９に示すような、北海道の地図とスキー競技のイラストをプリントしたリボン７４を使用者の使用目的（地域ＰＲ）を識別する識別用の装身具７としたり。図２０に示すような、肩に飾れる大きさの会社ＰＲ用のマスコット犬の縫いぐるみ７６を使用者の使用目的（会社ＰＲ用）を識別する識別用の装身具７としたり。図２１に示すような、スポーツのＰＲ用のミニチュアのサッカーボール７５を使用者の使用目的（スポーツ大会等のイベントＰＲ用）を識別する識別用の装身具７としたり。」等、本発明のショルダネックストラップの使用者の地位・階級や使用目的の識別を「文字、図形、形状」等の一種類若しくは二種類以上を組み合わせて成るデザイン施した識別用の装身具７であればいずれでも良く、本発明は実施形態に限定されない。
【０１１２】
図２２は、図１２の実施形態において、他方側に位置するストラップ１２に安全装置８を備えた使用状態説明図である。
【０１１３】
図２２の実施形態に係るショルダネックストラップ１は、図１２の実施形態において、他方側に位置するストラップ１２の途中部分を切断して、切断したストラップの端部と端部を連結する連結箇所に、切断したストラップの端部を連結・分断を可能とする一対の雄雌差込式連結部材を有する雄雌差込式連結具４２の一対の雄雌差込式連結部材の雄連結部材４２ａと雌連結部材４２ｂに有する貫通孔９２ｃに通して折り返し留め具３４で固定して、ストラップの端部に雄連結部材４２ａと雌連結部材４２ｂ取り付け、雄連結部材４２ａと雌連結部材４２ｂで切断したストラップの端部と端部を連結する連結箇所を構成し、前記他方側に位置するストラップ１２に一定の引っ張り荷重を超える引っ張り荷重がかかることで連結箇所が分断される安全装置８を雄雌差込式連結具４２で形成して備えている。
【０１１４】
図２２の実施形態は、上記のような構成で、携帯用収納ケース２１やストラップが何かに引っかかったりして、他方側に位置するストラップ１２に一定の引っ張り荷重を超える引っ張り荷重がかかると、図２３に示すように、先ず他方側に位置するストラップ１２の途中部分に備えた安全装置８としての雄雌差込式連結具４２の雄連結部材４２ａと雌連結部材４２ｂの分断で、他方側に位置するストラップ１２にかかる異常荷重をやわらげ、使用者の首など身体を傷つけないか等の不安感を軽減し、さらに、他方側に位置するストラップ１２の途中部分に備えた安全装置８としての雄雌差込式連結具４２の雄連結部材４２ａと雌連結部材４２ｂが分断されても、首を挟んで左右いずれか一方側に吊り下げられる２本のストラップ１０は直ちに分断されず、２本のストラップ１０だけで肩から携帯用収納ケース２１を吊り下げ、肩から容易に外せるショルダーストラップ状の構成でも使用できるから、本発明の請求項１から請求項４のいずれか１項に記載の効果に加え、他方側に位置するストラップ１２にかかる異常荷重をやわらげ、使用者の首など身体を傷つけないか等の不安感を軽減し、さらに携帯用収納ケース２１をいきなり一気に引き落とされて壊したり紛失したり等した不安感も軽減できるとした、安全装置８の効果を２段階に機能させて使用できる。
【０１１５】
安全装置８は、図２２の実施形態では、他方側に位置するストラップ１２の途中部分を切断し、切断したストラップの端部と端部を連結する連結箇所に、他方側に位置するストラップ１２に一定の引っ張り荷重を超える引っ張り荷重がかかることで連結箇所が分断される、連結・分断を可能とする一対の雄雌差込式連結部材を有する雄雌差込式連結具４２を安全装置８として備えているが、他方側に位置するストラップ１２に一定の引っ張り荷重を超える引っ張り荷重がかかることで連結箇所が分断され、連結箇所の連結・分断を可能とする一対の連結部材を有する連結部型連結具４で有れば、例えば「一対の雄雌差込式連結部材を有する雄雌差込式連結具４２。磁極が引き合う一対の永久磁石連結部材を有する磁石式連結具４３。一対の雄雌面ファスナー連結部材を有する面ファスナ式連結具４４。一対の雄雌ホック連結部材を有するホック式連結具４５。」等いずれでも良く、その他種々の連結・分断を可能とする一対の連結部材を有する連結部型連結具４を使用できる。
【０１１６】
なお、一対の連結部材を有する連結部型連結具４は、市販されている安全対策用のネックストラップ用連結具等を使用できることから、その形状、構造、素材などの詳細は省略する。
【０１１７】
今回開示された実施の形態はすべての点で例示であって限定的なものではないと考えられるべきで、本発明の範囲は上記した実施の形態ではなく特許請求の範囲によって示され、特許請求の範囲と均等な意味および範囲内でのすべての変更点が含まれることが意図される。
【符号の説明】
【０１１８】
１      ショルダネックストラップ  
１０    ２本のストラップ
１１    一方側ストラップ
１２    他方側に位置するストラップ
１３    追加一方側ストラップ
１５    環状形一方側ストラップ（２本のストラップ１０）
１６    二股部  
２      携帯用物品
２１    携帯用収納ケース
２２    名札
２３    携帯電話
２４    取付端部
３      吊り下げ具
３１    金属製の２重リング
３２    ナスカン
３３    クリップ
３４    留め具
３５    環状の細い紐
３６    Ｄカン
３７    結び止め部 
３８    縫い目
４      一対の連結部材を有する連結部型連結具
４２    雄雌差込式連結具
４２ａ  雄連結部材
４２ｂ  雌連結部材
４３    磁石式連結具
４４    面ファスナ式連結具
４５    ホック式連結具
５      連結孔を有する連結孔型連結具
５２     ロックボタン式連結具
５３     バックル型連結具
６       肩当て連結部
６１     ボタン形状留め具
６２     巻き付けて結んで成る結び目
６３     面ファスナー式留め具
７       識別用の装身具７
７１     肩章
７３     スカーフ
７４     リボン
７５     サッカーボールのＰＲ用ミニチュア
７６     縫いぐるみ
７７     嵌着孔
８       安全装置
９       ストラップを通す孔
９１     携帯用物品取付孔
９１ａ  上端部携帯用物品取付孔
９１ｂ  中央部携帯用物品取付孔
９２    貫通孔
９２ａ  Ｄカンの貫通孔
９２ｂ  ２重リングの貫通孔
９２ｃ  雄雌差込式連結具に有する貫通孔
９３    連結孔
９３ａ  ロックボタン式連結具に有する連結孔
９３ｂ  バックル型連結具に有する複数の連結孔
９３ｃ  ボタン形状留め具に有する連結孔
９３ｄ  肩に飾れる小さい縫いぐるみに有する連結孔
９３ｅ  ミニチュアのサッカーボールに有する連結孔
【図１】
0006778424.tif 000002
【図２】
0006778424.tif 000003
【図３】
0006778424.tif 000004
【図４】
0006778424.tif 000005
【図５】
0006778424.tif 000006
【図６】
0006778424.tif 000007
【図７】
0006778424.tif 000008
【図８】
0006778424.tif 000009
【図９】
0006778424.tif 000010
【図１０】
0006778424.tif 000011
【図１１】
0006778424.tif 000012
【図１２】
0006778424.tif 000013
【図１３】
0006778424.tif 000014
【図１４】
0006778424.tif 000015
【図１５】
0006778424.tif 000016
【図１６】
0006778424.tif 000017
【図１７】
0006778424.tif 000018
【図１８】
0006778424.tif 000019
【図１９】
0006778424.tif 000020
【図２０】
0006778424.tif 000021
【図２１】
0006778424.tif 000022
【図２２】
0006778424.tif 000023
【図２３】
0006778424.tif 000024